【事件の表示】
　平成　６年特許願第３１３８７３号「システム暖房装置およびその運転制御方法」拒絶査定不服審判事件〔平成　８年　７月　２日出願公開、特開平　８−１７０８３７〕について、次のとおり審決する。
【結　論】
　本件審判の請求は、成り立たない。
【理　由】
１．手続の経緯
　
　本願は、平成６年１２月１６日の出願であって、平成１５年５月２８日付け（同年６月１１日発送）で拒絶査定がなされ、これに対し、同年７月１０日付けで拒絶査定に対する審判請求がなされると共に、同年８月６日付けで手続補正がなされたものである。
　
２．平成１５年８月６日付け手続補正についての補正却下の決定
　
［補正却下の決定の結論］
　平成１５年８月６日付け手続補正を却下する。
　
［理由］
（１）補正後の発明
　上記手続補正（以下「本件補正」という）により、特許請求の範囲の請求項１は次のように補正された。
　
【請求項１】
　部屋の床面からの放熱で暖房を行う床暖房装置（１）と、部屋に温風を供給して暖房を行う空気調和機（２）と、床暖房装置（１）および空気調和機（２）間の信号の伝送制御をする連動制御手段（１１，６）とを含むシステム暖房装置であって、
　操作信号を入力するための操作信号入力手段（７，１０）、ならびに
　操作信号入力手段（７，１０）から連動運転信号が与えられたことに応答して、連動制御手段（１１，６）は、床暖房装置（１）および空気調和機（２）が互いに連動して所望の暖房温度が得られるように、一方の装置による暖房温度の変化が他方の装置に伝えられるように両者間で信号の送受を行わせ、両者を連動運転させることを特徴とする、システム暖房装置。（以下「補正発明」という）
　
　上記補正は、補正前の「床暖房装置（１）および空気調和機（２）間で信号の送受を行わせ、」の記載を、補正前の発明の詳細な説明段落【００１６】及び【００４８】の記載に基づいて、「床暖房装置（１）および空気調和機（２）が互いに連動して所望の暖房温度が得られるように、一方の装置による暖房温度の変化が他方の装置に伝えられるように両者間で信号の送受を行わせ、」と補正するものであるから、特許法第１７条の２第３項第２号の特許請求の範囲の減縮を目的とするものに該当する。
　そこで、以下に、本件補正後の請求項１に係る発明（以下「補正発明」という）が、特許法第１７条の２第４項において読み替えて準用する同法第１２６条第３項の規定に該当し、特許出願の際独立して特許を受けることができたものであるかについて検討する。
　
（２）引用例
  原査定の拒絶の理由で引用した特開平６−８２０５２号公報（以下「引用例」という）には、次の記載がある。
　
ア）「本発明は一つの室内居住空間内においてエアコン等の空調装置と電気カーペット等の暖房装置を併用運転するシステム暖房装置に関する。」（段落【０００１】）
　
イ）「（１）は一般家屋に見られる床（２）と壁（３）と天井（４）とからなる室内居住空間、（５）は前記壁（３）に取り付けられ前記室内居住空間（１）を加熱する空調装置（以下エアコンとする）で、図１に示すように後述する情報送信手段（９）による前記室内居住空間（１）内の室温データと設定温度データ等を取り込むと共に設定温度データを入力する入力回路（６）と該入力回路による室温データと設定温度データとを比較演算する演算回路（７）と該演算回路により冬期に使用する加熱源（図示せず）を制御する加熱制御手段（８）と夏期に使用する冷却源（図示せず）を内蔵している。（９）は前記室内居住空間（１）の壁（３）の適当箇所に取り付けた前記エアコン（５）の情報送信手段（以下リモコンとする）で、前記エアコン（５）と離して設けられ前記室内居住空間（１）内の室温を検出したその室温データと設定温度データを一定時間（５分）毎に出力して前記エアコン（５）の入力回路（６）に出力する。
  前記リモコン（９）は、室温センサー（１０）と、このセンサーの抵抗値を電圧値に変換する室温検出回路（１１）と、所望温度に設定し設定温度データを出力する温度設定回路（１２）と、前記室温検出回路（１１）の温度データと温度設定回路（１２）の設定温度データとを比較演算して前記エアコン（５）に向けて室温データを発信出力する出力回路（１３）と、前記エアコン（５）により制御される室温と後述の電気カーペット（２１）により制御される床面温度とによって快適となり且つエアコン（５）と電気カーペット（２１）の総合消費電力が最少となる点（エネルギーポイント）の室温を得るためのエアコン（５）の設定温度（２１℃）（図５．図６参照して後記詳述）を記憶したデータ記憶手段（１４）と、前記エアコン（５）による室温と前記電気カーペット（２１）の温度を連動して自動で設定する自動温度設定手段（１５）を内蔵している。さらに、前記データ記憶手段（１４）は、後述の快適＆節約スイッチ（２０）の操作時にエアコンの設定温度を徐々に変更して目的の設定温度まで導くスロー運転モードをプログラムしている。
  また、前記リモコン（９）の表面には、図３に示すように送信素子（１６）と、前記エアコン（５）の運転／停止ボタン（１７）と、前記エアコン（５）の設定温度及び室内温度の表示器（１８）と、前記温度設定回路（１２）に接続した温度設定ボタン（１９）（１９）と、前記自動温度設定手段（１５）と連係し快適であって前記エアコン（５）と前記電気カーペット（２１）の総合消費電力が最少となる節約モードを選択する快適＆節約スイッチ（２０）（以下自動スイッチとする）を有している。
  （２１）は前記室内居住空間（１）であって前記エアコン（５）と離して床面に敷いた暖房装置（以下電気カーペットとする）で、全面に配設したヒータ（２２）とコーナー部に配設され電気回路を内装したコントローラー（２３）により構成している。前記コントローラー（２３）は図４に示す様に電気カーペット（２１）を単独で使用する場合において所望温度を設定する温度ツマミ（２４）とこの設定温度の表示部（２５）と電源スイッチ（２６）と前記リモコン（９）の室温データを受信する受信センサー（２７）を設けている。
  図１に示す電気カーペット（２１）の電気回路図について説明する。（２８）は前記コントローラー（２３）内に設けた温度センサー、（２９）は前記温度センサー（２８）の抵抗値を電圧値に変換する床面温度検出回路、（３０）は前記温度設定ボタン（１９）（１９）によって設定される温度設定回路、（３１）は前記ヒータ（２２）の制御回路、（３２）は前記エアコン（５）による室温と前記電気カーペット（２１）による温度に基づく理想温度を入力した演算記憶回路、（３３）は前記制御回路（３１）に出力するマイコンよりなる演算回路で、前記リモコン（９）の室温データを基にして電気カーペット（２１）の温度制御を行う環境温度制御手段（後述の図７．図９参照）を設けている。（３４）は出力回路（１３）の信号を受信する入力回路である。
  ここでエアコンと電気カーペットの併用運転時における理想温度について詳述する。エアコンによって管理された室温と電気カーペットによって管理された床表面温度とは図５の快適温度曲線で表わされるとおり、この快適温度曲線は、エアコンによる室温と電気カーペットの温度のそれぞれの各温度毎に快適となる点を実験的に求め、これらのあらかじめ設定された点を結んで得られたもので、室温が高ければ床表面温度は低くても十分な暖かさが得られ、反対に室温が低ければ床表面温度を高くしなければ快適温度とはならない。例えば室温が（２４度）の場合は床表面温度は（２０度）で快適となり（Ａポイント）、室温が（２３度）の場合は床表面温度は（２２度）で快適となる。（Ｂポイント）、また、室温が（２１度）の場合は床表面温度は（３２度）で快適となる。（Ｇポイント）。この様に室温と床表面温度とを実験的に測定してそれぞれの各温度毎の快適温度は（Ａ）〜（Ｌ）ポイントで表わされ、このポイントを一般に温冷感０の等感覚特性ラインと呼ぶ。勿論、快適温度は個人差があるためそれぞれのポイント毎の上下幅があってもよい。例えばポイント（Ａ）において室温が（２４度）で床表面温度が（２１度）でもよく、また室温が（２３度）で床表面温度が（２３度）であってもよい。
  そして、図５の快適温度曲線により得られたそれぞれのポイント（Ａ）〜（Ｌ）におけるエアコン（５）と電気カーペット（２１）の消費電力は図６の棒グラフによって表わされ、グラフ中の斜線部分はエアコン、無地部分は電気カーペットの消費電力を示す。このグラフで床表面温度が低い時には電気カーペットの消費電力が小さくエアコンの消費電力が大きくなり、反対に床表面温度が高い時には電気カーペットの消費電力が大きくエアコンの消費電力が小さくなることがわかる。特にポイント（Ｇ）ではエアコンと電気カーペットの総合消費電力が最も少なく快適性及び経済性においても理想的なエネルギーポイントとなる。
  前述したようにこれらの快適温度曲線のデータは演算記憶回路（３２）にあらかじめメモリーされており、前記エアコン（５）と前記電気カーペット（２１）の併用運転時にはこのデータを基にして前記リモコン（９）の室温データに基づき前記電気カーペットの床表面温度を自動設定する。」（段落【００１４】〜【００２１】）
　
ウ）「次に動作について述べる。
  エアコン（５）とリモコン（９）はセットにして１つの室内に設置されており、リモコン（９）は室温データと設定温度データを５分間隔に送信し、エアコン（５）はこの送信されたデータに基づいて設定温度と室温との比較を行い加熱量を制御する。
  図７はリモコン（９）のフローチャート、図８はエアコン（５）のフローチャート、図９は電気カーペット（２１）のフローチャートを示すものである。
  始めにエアコン（５）と電気カーペット（２１）を併用運転する場合を図７に基づいて述べる。リモコン（９）の電源スイッチ（図示せず）をＯＮとし（Ｓ１）運転スタート信号を送信（Ｓ２）するとともに温度設定ボタン（１９）（１９）を操作して好みの室温（例えば２２℃）を設定する。その後、自動スイッチ（２０）が操作され節約運転モードになっているかどうかを判定し（Ｓ３）、その操作がなければ出力回路（１３）が前記温度設定回路（１２）によって設定された温度（２２℃）を読み込み（Ｓ４）設定温度の変更がなければ（Ｓ５）、前記室温センサー（１０）によって現在の室温（今、例えば２０.５℃とする）を検 出する（Ｓ６）。この室温の検出回路（１１）の室温データを取り込んだ出力回路（１３）は、室温検出回路（１１）の温度データと温度設定回路（１２）の設定温度データとを比較し前記送信素子（１６）より前記エアコン（５）に向けて現在の室温データと設定温度データを送信する（Ｓ７）。もし使用者が途中で前記エアコン（５）の設定温度を変更した時（Ｓ８）はステップ（Ｓ５）において設定温度が変更したことを判定し、その変更後の設定温度データと現在の室温データを送信する（Ｓ７）。
  そして、前述のリモコン（９）の前記送信素子（１６）による設定温度データ（２２℃）と現在の室温データ（２０.５℃ ）を受信素子（図示せず）によって受信した前記エアコン（５）の動作を図８のフローチャートにより述べる。エアコン（５）の演算回路（７）は受信素子（３５）により入力回路（６）を介して運転スタート信号と室温データ及び設定温度データを受信し（Ｓ９）（Ｓ１０）、室温（２０.５℃）が設定温度（２２℃）よりも低いためエアコン（５）をオンにして（Ｓ１１）（Ｓ１２）、ヒータ等に通電し室温を設定温度まで上昇させる。やがて、室温が上昇して設定温度（２２℃）に達するとエアコン（５）をオフにして（Ｓ１１）（Ｓ１３）、ヒータ等への通電を停止する。以後、前記エアコン（５）は前記リモコン（９）からの室温データ及び設定温度データを受信してリモコン（９）により設定された温度（２２℃）を維持する。
  その後、前記リモコン（９）から５分毎に送信する室温データは、エアコン（５）の運転スタート時の室温（２０.５℃ ）データから、やがて現在の室温データ（２２℃）となり、前記リモコン（９）による設定温度の変更や外気温の大幅な変動がないかぎり室温データ（２２℃）を送信する。
  前述のリモコン（９）の前記送信素子（１６）による室温データのみを６分毎に受信センサー（２７）によって受信した前記電気カーペット（２１）の動作を図９のフローチャートにより述べる。電気カーペット（２１）は前記エアコン（５）との併用運転を目的としてあらかじめ電源スイッチ（２６）をオンとし（Ｓ１４）、電気カーペット（２１）の前記コントローラー（２３）に設けた切換スイッチ（図示せず）を「併用運転」側に設定しておく。
  演算回路（３３）は入力回路（３４）を介して前記リモコン（９）からエアコン（５）の運転スタート時の室温データ（２０.５℃ ）を受信した時点では（Ｓ１５）、この室温データ（２０.５℃ ）をセットする（Ｓ１６）とともに演算記憶回路（３２）にあらかじめ入力された前記快適温度曲線から得られるポイント（Ｉ）を設定する（Ｓ１７）とともに、このポイント（Ｉ）から床表面温度を（３６℃）に設定する（Ｓ１８）。この時の室温（２０.５℃ ）に応じた快適温度が得られる前記電気カーペット（２１）による床表面温度は（３６℃）となるが、前記温度センサー（２８）によって検出した（Ｓ１９）現在の床表面温度が（３６℃）より高い場合にはヒータ（２２）をオフにし（Ｓ２０）（Ｓ２１）、低い場合にはヒータ（２２）をオンにする（Ｓ２２）。その後、室温が（２０.５℃）で変動しない間は床表面温度を（３６℃）に維持する。
  以上は、併用運転スタート時の室温が（２０.５℃ ）の時のエアコン（５）と電気カーペット（２１）の動作であるが、実際には前記リモコン（９）によって室温が（２２℃）に設定されているために前記エアコン（５）の運転によって室温が徐々に上昇する。例えば、室温が（２０.５℃）から（２１℃）に上昇すると前述のようにこの室温データは前記リモコン（９）の発信素子によって５分毎に前記エアコン（５）に向けて発信し運転を継続させると同時に前記受信センサー（２７）によって６分毎にこの室温データ（２１℃）を受信した前記電気カーペット（２１）は快適温度曲線から得られるポイント（Ｇ）が設定され床表面温度を（３２℃）とする。
  この時のポイント（Ｇ）は、前述したとおりエアコン（５）と電気カーペット（２１）の総合消費電力が最も小さいエネルギーポイントとなり、快適で且つ経済的な節約運転を行う。その後、室温はさらに上昇し（２１.５℃ ）になり５分の周期の間に発信素子が現在の室温データを発信し、これを６分の周期の間に受信した電気カーペット（２１）は快適温度曲線から得られるポイント（Ｅ）が設定され床表面温度を（２８℃）とする。そして、同様に室温が前記リモコン（９）により設定された（２２℃）になると、電気カーペット（２１）は快適温度曲線から得られるポイント（Ｄ）が設定され床表面温度が（２６℃）となり、以後、前記リモコン（９）による設定温度の変更がないかぎりエアコン（５）は設定温度（２２℃）に制御され、電気カーペット（２１）は床表面温度を（２６℃）として快適温度を得る。
  このようにして室温がエアコン（５）の設定温度に達するまでは、室温の変化に応じた各温度毎の快適温度曲線から得られるポイントに基づいて電気カーペット（２１）の床表面温度を変え、また室温がエアコン（５）の設定温度に達した後では、快適温度曲線から得られるポイントによって電気カーペット（２１）の床表面温度を制御し、常に快適温度を得る。」（段落【００２２】〜【００３２】）
　
エ）「環境温度制御手段は必ずしも床面のみを加熱するものでなくともよく床面付近の温度を制御するものであればよいとともに快適温度曲線のポイントは実施例のようにエアコンによる室温を基準にして電気カーペットによる床表面温度を決定するものでなくとも電気カーペットによる床表面温度に基づいてエアコンによる室温を決定するものであってもよい。さらに、自動スイッチはリモコンに設けたがエアコン．電気カーペットに設けてもよい。」（段落【００３９】）
　
　上記イ）及びウ）の記載及び図面の記載を参酌すれば、引用例には次の発明（以下「引用例発明」という）が記載されている。
　
「室内居住空間（１）の床（２）からの放熱で暖房を行う電気カーペット（２１）と、室内居住空間（１）に温風を供給して暖房を行うエアコン（５）と、電気カーペット（２１）とリモコン（９）間およびエアコン（５）とリモコン（９）間の信号の伝送制御をする入力回路（６），（３４）及び出力回路（１３）とを含むシステム暖房装置であって、
　操作信号を入力するためのリモコン（９）ならびに
　リモコン（９）から併用運転信号が与えられたことに応答して、入力回路（６），（３４）及び出力回路（１３）は、電気カーペット（２１）およびエアコン（５）が互いに連動して所望の暖房温度が得られるように、一方の装置による暖房温度の変化が他方の装置に伝えられるように電気カーペット（２１）とリモコン（９）間およびエアコン（５）とリモコン（９）間で信号の送受を行わせ、両者を併用運転させることを特徴とする、システム暖房装置。」
　
（３）対比
　補正発明と引用例発明を対比すると、後者の「室内居住空間」、「床」、「電気カーペット」、「エアコン」、「入力回路及び出力回路」、「リモコン」及び「併用運転」は、それぞれ前者の「部屋」、「床面」、「床暖房装置」、「空気調和機」、「連動制御手段」、「操作信号入力手段」及び「連動運転」に相当するものと認められる。
  してみると、両者は次の一致点及び相違点を有する。
　
【一致点】
　部屋の床面からの放熱で暖房を行う床暖房装置と、部屋に温風を供給して暖房を行う空気調和機とを含むシステム暖房装置であって、
　操作信号を入力するための操作信号入力手段、ならびに
　操作信号入力手段から連動運転信号が与えられたことに応答して、連動制御手段は、床暖房装置および空気調和機が互いに連動して所望の暖房温度が得られるように、床暖房装置および空気調和機を連動運転させることを特徴とする、システム暖房装置。　
　
【相違点】
　補正発明は、床暖房装置および空気調和機間の信号の伝送制御をする連動制御手段とを含み、この連動制御手段は、一方の装置による暖房温度の変化が他方の装置に伝えられるように両者間で信号の送受を行わせ、両者を連動運転させているのに対し、引用例発明は、床暖房装置（電気カーペット）とリモコン間および空気調和機（エアコン）とリモコン間の信号の伝送制御をする連動制御手段（入力回路及び出力回路）とを含み、この連動制御手段（入力回路及び出力回路）は、床暖房装置（電気カーペット）とリモコン間および空気調和機（エアコン）とリモコン間で信号の送受を行わせ、連動運転（併用運転）させている点。
　
（４）判断
　以下、上記相違点について検討すると、上記相違点は、要するに、連動制御をするに際しての信号の送受を、補正発明では、床暖房装置および空気調和機間で行っているのに対し、引用例発明では、床暖房装置（電気カーペット）とリモコン間および空気調和機（エアコン）とリモコン間で行っていることによる相違に他ならない。
　ここで、上記エ）で摘示したように、引用例にはリモコンの自動スイッチをエアコンに設けることが記載されており、この記載に基づいてリモコンの機能の全てをエアコンに設けるようにして両者を一体とすることに何ら困難性は認められないし、また、エアコンのような家電製品においては、リモコンを有するものと有しないものは広く知られており、両者の置き換えることに何ら困難性は認められないから、引用例記載のリモコンとエアコンを一体にすることに何ら困難性は認められない。
　そして、引用例発明のリモコンとエアコンを一体に構成すれば、結果として、信号の送受が、エアコンと電気カーペットの間（すなわち、床暖房装置と空気調和機間）で行われ補正発明のごとくなることは自明のことである。
　
　したがって、補正発明は、本願の出願前に国内において頒布された刊行物である引用例の記載に基づいて、当業者が容易に発明できたものであるから、特許法第２９条第２項の規定により特許出願の際独立して特許を受けることができたものではない。
　
（５）むすび
　以上のとおりであるから、上記補正発明を含む本件補正は、特許第１７条の２第４項の規定により読み替えて準用する同法第１２６条第３項の規定に違反してなされたものであり、特許法第１５９条第１項の規定により読み替えて準用する同法第５３条第１項の規定により却下する。
　
３．本願発明
　
　平成１５年８月６日付けの手続補正は上記のとおり却下されたので、本願の請求項１に係る発明（以下「本願発明」という）は、平成１５年５月１日付け手続補正で補正された明細書の特許請求の範囲請求項１に記載された次のとおりのものである。
　
【請求項１】
　部屋の床面からの放熱で暖房を行う床暖房装置（１）と、部屋に温風を供給して暖房を行う空気調和機（２）と、床暖房装置（１）および空気調和機（２）間の信号の伝送制御をする連動制御手段（１１，６）とを含むシステム暖房装置であって、
　操作信号を入力するための操作信号入力手段（７，１０）、ならびに
　操作信号入力手段（７，１０）から連動運転信号が与えられたことに応答して、連動制御手段（１１，６）は、床暖房装置（１）および空気調和機（２）間で信号の送受を行わせ、両者を連動運転させることを特徴とする、システム暖房装置。　
　
４．引用例
　
　原査定の拒絶の理由で引用した刊行物である、特開平６−８２０５２号公報の記載事項は、上記「２．（２）」のとおりである。
　
５．対比・判断
　
　本願発明は、上記「２．」で検討した補正発明から、床暖房装置及び空気調和機間で信号の送受を行わせるに際しての、「互いに連動して所望の暖房温度が得られるように、一方の装置による暖房温度の変化が他方の装置に伝えられるように」との限定事項を省いたものである。
　してみると、本願発明の構成要件のすべてを含み、更に他の構成要件を付加したものに相当する補正発明が、上記「２．」で言及したように引用例の記載に基づいて、当業者が容易に発明できたものであるから、本願発明も同様の理由により、引用例の記載に基づいて当業者が容易に発明できたものである。
　
６．むすび
　
　以上のとおりであるから、本願請求項１に係る発明（本願発明）は、引用例の記載に基づいて、当業者が容易に発明できたものであるから、特許法第２９条第２項の規定により特許を受けることができない。
　よって、請求項２ないし９については検討するまでもなく、結論のとおり審決する。